【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
マウスピースまたは鼻腔アダプタなどの出口と、
前記出口を介して投薬される用量の医薬を含む複数の密閉区画と、
１回分を投薬する準備が整った準備状態と、１回分を投薬した投与状態とを有し、吸入気流に応じて前記準備状態から前記投与状態に移動し、前記準備状態から前記投与状態に移動すると音を発生させる、投薬機構と、
最後の１回分が投薬された後、前記投薬機構が前記音を発生させるのを無効化させるように作動される無効化要素と、
を備える、吸入器。
【請求項２】
前記無効化要素は、該無効化要素の作動時において前記投薬機構が前記準備状態に達するのを防止するように構成されている、請求項１に記載の吸入器。
【請求項３】
前記投薬機構は、
無負荷位置に向かって付勢される付勢位置を有し、該付勢位置から前記無負荷位置への移動の際に、前記出口に位置合わせされた密閉区画を開放する、開放機構と、
該開放機構を前記付勢位置にラッチする第１の位置と、前記開放機構が前記無負荷位置に移動するのを可能にする第２の位置とを有するラッチであって、流路を通る吸入気流が前記ラッチを前記第１の位置から前記第２の位置に移動させるように前記流路に少なくとも部分的に配置されている、ラッチと、を備え、
前記無効化要素は、該無効化要素の作動時において前記ラッチが前記第１の位置に達するのを防止する、請求項１または２に記載の吸入器。
【請求項４】
前記ラッチは、その前記第１の位置と前記第２の位置との間で移動するための旋回可能な要素を備え、
前記無効化要素は、該無効化要素の作動時において、前記開放機構がラッチされるのを防止するために前記ラッチをその第１の位置から旋回させるように構成されている、請求項３に記載の吸入器。
【請求項５】
前記出口を交互に閉鎖および開放するために移動可能な出口カバーを備え、
該出口カバーは、その前記閉鎖移動または前記開放移動の一方のときに、前記投薬機構を前記準備状態に移動させるために前記投薬機構に動作可能に接続可能であり、
前記無効化要素が作動されると、前記出口カバーの前記一方の移動があっても、前記投薬機構は前記準備状態に達することが防止される、請求項１〜４のいずれか一項に記載の吸入器。
【請求項６】
前記複数の密閉区画を有し、アクティベータが設けられているベースと、
前記区画を前記出口に順次位置合わせするために前記ベースを移動させるインデックス機構と、を備え、
前記インデックス機構が、最後の用量が投薬された後に前記ベースをインデックスするときに、前記アクティベータは、前記無効化要素を作動させて前記投薬機構が前記音を発生させるのを無効化する、請求項１〜５のいずれか一項に記載の吸入器。
【請求項７】
前記吸入器の吸入準備が整っているか否かを使用者に提示するための状態インジケータであって、前記インデックス機構の動きに従うように前記インデックス機構に接続されており、前記インデックス機構が前記ベースをインデックスすると、前記状態インジケータの表示を、吸入準備が整っていないという表示から吸入準備が整っているという表示に変更する、状態インジケータを備え、
前記無効化要素が前記投薬機構を無効にすると、前記状態インジケータは、前記吸入準備が整っているという表示を維持することができない、請求項６に記載の吸入器。
【請求項８】
前記インデックス手段は、前記開放機構が前記無負荷位置から前記付勢位置に移動した後に前記ベースをインデックするように適合されており、
前記無効化要素が、前記ラッチが前記開放機構を前記付勢位置にラッチできないようにすると、前記開放機構は、前記無負荷位置に戻ることができ、
前記開放機構が前記付勢位置から前記無負荷位置に移動すると、前記インデックス機構が逆の動きにセットされ、これにより前記状態インジケータが吸入準備が整っているという表示から吸入準備が整っていないという表示に変わるように、前記開放機構が前記インデックス機構に接続されている、請求項３と組み合わせた請求項７に記載の吸入器。
【請求項９】
前記無効化要素は、前記投薬機構が前記音を発生させるのを防止する無効位置と、前記投薬機構が前記音を発生させるのを可能にする解除位置とを有し、
前記アクティベータは、前記ベースに取り付けられ、前記無効化要素を前記無効位置に移動させるように適合されている、請求項６〜８のいずれか一項に記載の吸入器。
【請求項１０】
前記ベースは、周方向に配置された一連のキャビティを有する回転可能なディスクを備え、
前記キャビティは、各ホイル部によってそれぞれ密閉されている、請求項６〜９のいずれか一項に記載の吸入器。
【請求項１１】
前記各ホイル部は、各分離要素に取り付けられ、
前記ディスクが回転すると、次の順番の前記分離要素が、前記分離要素と前記取り付けられたホイル部とを除去するために前記開放機構に差し出される、請求項１０に記載の吸入器。
【請求項１２】
前記アクティベータは前記ディスクと共に回転し、これにより、前記ベースのインデックス毎に回転段階を１つ進める、請求項１０または１１に記載の吸入器。
【請求項１３】
前記医薬は、
モメタゾン、臭化イプラトロピウム、チオトロピウムおよびその塩、サルメテロール、プロピオン酸フルチカゾン、ジプロピオン酸ベクロメタゾン、レプロテロール、クレンブテロール、ロフレポニドおよび塩、ネドクロミル、クロモグリク酸ナトリウム、フルニソリド、ブデソニド、フマル酸ホルモテロール二水和物、テルブタリン、硫酸テルブタリン、サルブタモール塩基および硫酸サルブタモール、フェノテロール、３−［２−（４−ヒドロキシ−２−オキソ−３Ｈ−１，３−ベンゾチアゾール−７−イル）エチルアミノ］−Ｎ−［２−［２−（４−メチルフェニル）エトキシ］エチル］プロパン−スルホンアミド、塩酸塩、インダカテロール、臭化アクリジニウム、Ｎ−［２−（ジエチルアミノ）エチル］−Ｎ−（２−｛［２−（４−ヒドロキシ−２−オキソ−２，３−ジヒドロ−１，３−ベンソチアゾール−７−イル）エチル］アミノ｝エチル）−３−［２−（１−ナフチル）エトキシ］プロパンアミド、またはその薬学的に許容され得る塩（例えば、二臭化水素酸塩）、
Ｎ−シクロヘキシル−Ｎ３−［２−（３−フルオロフェニル）エチル］−Ｎ−（２−｛［２−（４−ヒドロキシ−２−オキソ−２，３−ジヒドロ−１，３−ベンゾチアゾール−７−イル）エチル］アミノ｝エチル）−β−アラニンアミド、またはその薬学的に許容され得る塩（例えば、ジ−Ｄ−マンデル酸）、
［２−（４−クロロ−ベンジルオキシ）−エチル］−［２−（（Ｒ）−シクロヘキシル−ヒドロキシ−フェニル−メチル）−オキサゾール−５−イルメチル］−ジメチル−アンモニウム塩（例えば、ヘミ−ナフタレン−１，５−ジスルホン酸塩）、
（Ｒ）−１−［２−（４−フルオロ−フェニル）−エチル］−３−（（Ｓ）−２−フェニル−２−ピペリジン−１−イル−プロピオニルオキシ）−１−アゾニア−ビシクロ［２．２．２］オクタン塩（例えば、臭化物またはトルエンスルホン酸塩）、或いは、
これらのいずれか２つ以上の組み合わせから選択される活性成分を含む、請求項１〜１２のいずれか一項に記載の吸入器。
【請求項１４】
マウスピースまたは鼻腔アダプタなどの出口と、
使用者に状態インジケータを提示するためのディスプレイであって、前記状態インジケータが、前記吸入器の吸入準備状態を表す第１の表示と、前記吸入器の吸入非準備状態を表す第２の表示とを有する、ディスプレイと、
前記出口を覆う第１の位置と前記出口を覆わない第２の位置との間で移動可能な出口カバーであって、前記出口カバーが前記第１の位置にあると、前記状態インジケータが使用者から見えず、前記出口カバーが前記第２の位置にあると、前記状態インジケータを前記ディスプレイで見ることができる、出口カバーと、
１回分を投薬する準備が整った準備状態と、１回分を投薬した投与状態とを有する投薬機構であって、該投薬機構がその準備状態にあるときは、前記状態インジケータの前記第１の表示が前記ディスプレイに位置合わせされ、前記投薬機構が前記投与状態にあるときは、前記状態インジケータの前記第２の表示が前記ディスプレイに位置合わせされる、投薬機構と、
最後の１回分が投薬された後、前記出口カバーが前記第２の位置にあるときに前記投薬機構が前記準備状態になるのを防止するように作動され、これにより前記ディスプレイが、前記状態インジケータの前記第２の表示を前記使用者に提示する、無効化要素と、
を備える、吸入器。
【請求項１５】
請求項１〜１３のいずれか一項に記載された特徴のいずれか１つをさらに含む、請求項１４に記載の吸入器。
【請求項１６】
請求項１に記載の吸入器を用いてヒトを治療する方法。